(57)【特許請求の範囲】
【請求項１】
給湯機操作リモコンと、
前記給湯機操作リモコンの近傍に配置されるネットワーク送受信機と
前記給湯機操作リモコンと前記ネットワーク送受信機とに接続される接続電線と、
前記給湯機操作リモコンを壁面の室内側に固定するためのリモコン固定具と、
前記リモコン固定具に取り付けられ、前記ネットワーク送受信機を固定するためのネットワーク送受信機取付具と、
から構成され、
前記ネットワーク送受信機取付具は、前記ネットワーク送受信機を前記壁面の室外側に配置させ、かつ、前記ネットワーク送受信機を固定するための角度変更部を有することを特徴とする給湯機通信装置。
【請求項２】
前記壁面に固定された前記給湯機操作リモコンの後面に対向するように、前記ネットワーク送受信機が配置されていることを特徴とする請求項１に記載の給湯機通信装置。
【請求項３】
前記ネットワーク送受信機取付具は、前記接続電線を通すための開口部を有することを特徴とする請求項１に記載の給湯機通信装置。
【請求項４】
請求項１〜３のいずれか１項に記載の給湯機通信装置により運転制御される給湯機。
【発明の詳細な説明】
【技術分野】
【０００１】
本発明は、給湯機を操作するリモコンに接続されるネットワーク送受信機を備えた給湯機通信装置に関するものである。
【背景技術】
【０００２】
従来、この種の給湯機通信装置においては、家庭内にある１つ以上の電気機器とネットワーク制御端末機器親機との間で制御信号を送受信し、各電気機器とネットワークを構成することで、各電気機器の制御や、電気機器の使用電力のモニタ等を行っている（例えば、特許文献１参照）。
【０００３】
図５は、特許文献１に記載された従来のネットワーク制御端末機器を示すものである。
【０００４】
ネットワーク制御端末親機１と、電気機器（風呂給湯機１２とテレビ１３とビデオデッキ１４とエアコン１５と照明機器１６）とが、家屋１７に配置されている。
【先行技術文献】
【特許文献】
【０００５】
【特許文献１】特開２００６―０６７４１７号公報
【発明の概要】
【発明が解決しようとする課題】
【０００６】
しかしながら、前記従来の構成には、ネットワーク制御端末機器親機と風呂給湯機の間で制御信号を送受信する機能を有するネットワーク送受信機や操作リモコンの配置構成等に関しては記載されていない。
【０００７】
本発明は、前記従来の課題を解決するもので、給湯機操作リモコンやネットワーク送受信機の施工性を向上させた給湯機通信装置を提供することを目的とする。
【課題を解決するための手段】
【０００８】
前記従来の課題を解決するために、本発明の給湯機通信機装置は、給湯機操作リモコンと、前記給湯機操作リモコンの近傍に配置されるネットワーク送受信機と前記給湯機操作リモコンと前記ネットワーク送受信機とに接続される接続電線と、前記給湯機操作リモコンを壁面の室内側に固定するためのリモコン固定具と、前記リモコン固定具に取り付けられ、前記ネットワーク送受信機を固定するためのネットワーク送受信機取付具と、から構成され、前記ネットワーク送受信機取付具は、前記ネットワーク送受信機を前記壁面の室外側に配置させ、かつ、前記ネットワーク送受信機を固定するための角度変更部を有することを特徴とするものである。
【０００９】
これにより、給湯機操作リモコンとネットワーク送受信機とが隣接することで、それらを接続する接続電線の長さが短くなり、配線時の施工性を向上させた給湯機通信装置を提供できる。
【００１０】
また、これにより、ネットワーク送受信機の位置を規定できることで、配線時の施工性を向上させた給湯機通信装置を提供できる。
【００１１】
また、これにより、ネットワーク送受信機が壁面によって隠れるとともに、壁面の室外側（奥側）のスペースが少ない場合でも、ネットワーク送受信機取付具の取付角度を変更できることで、美観性および配線時の施工性を向上させた給湯機通信装置を提供できる。
【発明の効果】
【００１２】
本発明によれば、給湯機操作リモコンやネットワーク送受信機の施工性を向上させた給湯機通信装置を提供できる。
【図面の簡単な説明】
【００１３】
【図１】本発明の実施の形態１における給湯機通信装置の概念図
【図２】同給湯機通信装置の斜視図
【図３】同給湯機通信装置の壁面への取付時の断面図
【図４】同給湯機通信装置のネットワーク送受信機取付具の構成図
【図５】従来のネットワーク制御端末機器の概念図
【発明を実施するための形態】
【００１４】
第１の発明は、給湯機操作リモコンと、前記給湯機操作リモコンの近傍に配置されるネットワーク送受信機と前記給湯機操作リモコンと前記ネットワーク送受信機とに接続される接続電線と、前記給湯機操作リモコンを壁面の室内側に固定するためのリモコン固定具と、前記リモコン固定具に取り付けられ、前記ネットワーク送受信機を固定するためのネットワーク送受信機取付具と、から構成され、前記ネットワーク送受信機取付具は、前記ネットワーク送受信機を前記壁面の室外側に配置させ、かつ、前記ネットワーク送受信機を固定するための角度変更部を有することを特徴とする給湯機通信機装置である。
【００１５】
これにより、給湯機操作リモコンとネットワーク送受信機とが隣接することで、それらを接続する接続電線の長さが短くなり、配線時の施工性を向上させた給湯機通信装置を提供できる。
【００１６】
また、これにより、ネットワーク送受信機の位置を規定できることで、配線時の施工性を向上させた給湯機通信装置を提供できる。
【００１７】
また、これにより、ネットワーク送受信機が壁面によって隠れるとともに、壁面の室外側（奥側）のスペースが少ない場合でも、ネットワーク送受信機取付具の取付角度を変更できることで、美観性および配線時の施工性を向上させた給湯機通信装置を提供できる。
【００１８】
第２の発明は、特に第１の発明において、前記壁面に固定された前記給湯機操作リモコンの後面に対向するように、前記ネットワーク送受信機が配置されていることを特徴とする給湯機通信装置である。
【００１９】
これにより、ネットワーク送受信機が給湯機操作リモコンによって隠れることで、美観性を向上させた給湯機通信装置を提供できる。
【００２０】
第３の発明は、特に第１の発明において、前記ネットワーク送受信機取付具は、前記接続電線を通すための開口部を有することを特徴とする給湯機通信装置である。
【００２１】
これにより、接続電線の位置を規定でき、配線時の施工性を向上させた給湯機通信装置を提供できる。
【００２２】
第４の発明は、特に第１〜第３の発明のいずれかの給湯機通信装置により運転制御される給湯機である。
【００２３】
これにより、他の電化製品の運転状況に基づいて、給湯機の運転を制御できることで、使用性の高い給湯機を提供できる。
【００２４】
以下、本発明の実施の形態について、図面を参照しながら説明する。なお、この実施の形態によって本発明が限定されるものではない。
【００２５】
（実施の形態１）
まず、本発明の第１の実施の形態における給湯機通信装置の動作を、以下に述べる。
【００２６】
他の電気機器（テレビ、ビデオデッキ、エアコン、照明機器等）の動作状況が伝達されているネットワーク制御端末親機１から、給湯機操作リモコン２と接続電線４にて接続されているネットワーク送受信機３に、給湯機の運転制御が指示され、給湯機操作リモコン２は、その指示に基づき給湯機の運転制御を行っている。
【００２７】
また、給湯機の運転状況が、給湯機操作リモコン２、ネットワーク送受信機３を介してネットワーク制御端末親機１に伝達され、ネットワーク制御端末親機１が、他の電気機器（テレビ、ビデオデッキ、エアコン、照明機器等）のネットワーク送受信機に、その動作の指示を行っている。
【００２８】
図１は、本発明の第１の実施の形態における給湯機通信装置の概念図を示している。
【００２９】
図１において、給湯機操作リモコン２とネットワーク送受信機３とは、接続電線４で接続され、給湯機操作リモコン２の近傍に、ネットワーク送受信機３が配置されている構成となっている。
【００３０】
以上のように構成された給湯機通信装置について以下にその作用を説明する。
【００３１】
給湯機操作リモコン２の近傍にネットワーク送受信機３が配置されることで、給湯機操作リモコン２と隣接するため、接続電線４の長さを短くでき、配線時の施工性を向上している。
【００３２】
また、給湯機操作リモコン２が室内に設置されている場合、近傍に設置されるネットワーク送受信機３と、同じく室内に設置されているネットワーク制御端末親機１との通信精度も向上させることができる。
【００３３】
図２は、本発明の第１の実施の形態における給湯機通信装置の斜視図を示している。
【００３４】
図２において、給湯機操作リモコン２が、穴のある壁面５の室内側であり、操作者側面に設置され、壁面５の室外側（奥側）で、給湯機操作リモコン２の後面に対向するようにネットワーク送受信機３が配置されている構成となっている。
【００３５】
なお、給湯機操作リモコン２の後面（背面）とは、給湯機操作リモコン２の表示画面等の操作部が配置されている面を、前面と定義した場合の位置として記している。
【００３６】
以上のように構成された給湯機通信装置について以下にその作用を説明する。
【００３７】
給湯機操作リモコン２の後面（背面）の壁面５の室外側（奥側）に、ネットワーク送受信機３が配置されることで、ネットワーク送受信機３及び接続電線４を、給湯機操作リモコン２および壁面５により隠すことができ、美観性を向上している。
【００３８】
図３は、本発明の第１の実施の形態における給湯機通信装置の壁面への取付時の断面図を示す。
【００３９】
図３において、給湯機操作リモコン２は、壁面５に取り付けられたリモコン固定具６に固定されることで、壁面５の室内側、すなわち、操作者側に設置されている。
【００４０】
また、ネットワーク送受信機取付具７は、リモコン固定具６に固定されているネットワーク送受信機取付具７に固定され、壁面５の室外側（奥側）で、給湯機操作リモコン２の後面（背面）に対向するように配置されている構成となっている。
【００４１】
以上のように構成された給湯機通信装置について以下にその作用を説明する。
【００４２】
壁面５に固定されたリモコン固定具６にネットワーク送受信機取付具７が取り付けられているため、ネットワーク送受信機３の位置が規定され、配線時の施工性が向上する。
【００４３】
また、本実施の形態では、リモコン固定具６とネットワーク送受信機取付具７とを、リモコン固定具６を固定する固定手段であるネジ８により共締めすることで、ネットワーク送受信機取付具７の取り付け機構を追加することなく、ネットワーク送受信機取付具７を固定することができる。
【００４４】
図４は、本発明の本発明の実施の形態１における給湯機通信装置のネットワーク送受信機取付具の構成図を示している。
【００４５】
ネットワーク送受信機３は、ネットワーク送受信機取付具７に固定されている。
【００４６】
また、ネットワーク送受信機取付具７に、スリット形状の開口部９を設け、開口部９に接続電線４を通した構成としている。
【００４７】
以上のように構成された給湯機通信装置について以下にその作用を説明する。
【００４８】
開口部９に接続電線４を通した状態で、接続電線４を引き回しながら施工できることにより、配線時に接続電線４の位置を規定でき、施工性を向上している。
【００４９】
また、本実施の形態では、ネットワーク送受信機取付具７の、ネットワーク送受信機３挿入側表面に、突部１０を設けたことで、ネットワーク送受信機３とネットワーク送受信機取付具７との摩擦抵抗を高めることができ、その結果、接続電線４の配線時に、ネットワーク送受信機３が、ネットワーク送受信機取付具７から脱落するのを防止することができる。
【００５０】
また、本実施の形態では、ネットワーク送受信機取付具７に角度変更部１１を設け、前記角度変更部１１に、ネットワーク送受信機３を固定する構成としている。
【００５１】
これにより、ネットワーク送受信機取付具７の取付角度を変更することができ、壁面５の室外側（奥側）のスペースが少ない場合でも、壁面５の室内側（操作者側）へネットワーク送受信機取付具７を傾けることで、ネットワーク送受信機３の取り付けが容易となる。
【００５２】
また、接続電線４の配線時も、ネットワーク送受信機取付具７の取付角度を変更しながら、接続配線４を引き回し施工することができるので、施工性を向上している。
【産業上の利用可能性】
【００５３】
以上のように、本発明にかかる給湯機通信装置は、給湯機操作リモコンやネットワーク送受信機の施工性を向上させた給湯機通信装置を提供できるため、ヒートポンプ給湯機、ガス給湯機等、給湯機全般の給湯機通信装置に適用できる。
【符号の説明】
【００５４】
１  ネットワーク制御端末親機
２  給湯機操作リモコン
３  ネットワーク送受信機
４  接続電線
５  壁面
６  リモコン固定具
７  ネットワーク送受信機取付具
８  ネジ（固定手段）
９  開口部
１０  突部
１１  角度変更部
【図１】
0006572436.tif 000002
【図２】
0006572436.tif 000003
【図３】
0006572436.tif 000004
【図４】
0006572436.tif 000005
【図５】
0006572436.tif 000006